【手続補正書】
【提出日】平成30年3月30日(2018.3.30)
【手続補正１】
【補正対象書類名】特許請求の範囲
【補正対象項目名】全文
【補正方法】変更
【補正の内容】
【特許請求の範囲】
【請求項１】
第１のインクと第２のインクを吐出する記録手段を用いて記録媒体に画像を記録するためのデータを処理する画像処理装置であって、
前記第１のインクに対応する多値データを量子化して第１の量子化データを生成する第１の量子化手段と、
前記第２のインクに対応する多値データを量子化して第２の量子化データを生成する第２の量子化手段と、
を備え、
前記記録手段が前記第１のインクを吐出した際に主滴とは別に吐出される副滴が形成するサテライトは、前記記録手段が前記第２のインクを吐出した際に主滴とは別に吐出される副滴が形成するサテライトよりも発生しやすく、
前記第１の量子化データに従って前記記録媒体に記録された第１のドットパターンは前記第２の量子化データに従って前記記録媒体に記録された第２のドットパターンよりも分散性が高いことを特徴とする画像処理装置。
【請求項２】
前記第１の量子化手段および前記第２の量子化手段は、前記第１のインクに対応する多値データおよび前記第２のインクに対応する多値データを夫々の閾値と比較することにより、ドットの記録または非記録を示す前記第１の量子化データおよび前記第２の量子化データを生成することを特徴とする請求項１に記載の画像処理装置。
【請求項３】
前記第１の量子化手段と前記第２の量子化手段は、複数の閾値が配列された同一の閾値マトリクスを参照し、前記第１の量子化手段は前記第１のインクに対応する多値データを前記閾値マトリクスに記憶されている閾値と比較して量子化処理を行い、前記第２の量子化手段は前記第２のインクに対応する多値データを前記第１の量子化手段が比較する前記閾値にオフセットをかけた閾値と比較して量子化処理を行うことを特徴とする請求項２に記載の画像処理装置。
【請求項４】
前記第１の量子化手段と前記第２の量子化手段は、複数の閾値が配列された異なる閾値マトリクスを参照し、前記第１のインクに対応する多値データおよび前記第２のインクに対応する多値データそれぞれの量子化処理を行うことを特徴とする請求項２に記載の画像処理装置。
【請求項５】
前記閾値マトリクスはブルーノイズ特性を有することを特徴とする請求項３または４に記載の画像処理装置。
【請求項６】
前記閾値マトリクスは、前記第１のドットパターンおよび第２のドットパターンにおいて、低周波のパワーが高周波のパワーよりも抑えられるように形成されていることを特徴とする請求項３または４に記載の画像処理装置。
【請求項７】
前記記録手段は、インクを吐出する複数の吐出口が配列された吐出口列を用いて、前記第１の量子化データおよび前記第２の量子化データに従って前記第１のインクおよび前記第２のインクを記録し、前記第１のドットパターンは、前記配列の方向の分散性が前記配列の方向と交差する方向の分散性よりも高いことを特徴とする請求項１ないし６のいずれか１項に記載の画像処理装置。
【請求項８】
前記記録手段は、インクを吐出する複数の吐出口が配列された吐出口列を用いて、前記第１の量子化データおよび前記第２の量子化データに従って前記第１のインクおよび前記第２のインクを記録し、前記第１のドットパターンは前記配列の方向と交差する方向の分散性が、前記配列の方向の分散性よりも高いことを特徴とする請求項１ないし６のいずれか１項に記載の画像処理装置。
【請求項９】
前記第１のインクは前記第２のインクよりも粘度が低いことを特徴とする請求項１ないし８のいずれか１項に記載の画像処理装置。
【請求項１０】
前記第１のインクは前記第２のインクよりも明度が低いことを特徴とする請求項１ないし９のいずれか１項に記載の画像処理装置。
【請求項１１】
第１のインクと第２のインクを吐出する記録手段を用いて記録媒体に画像を記録するための画像処理方法であって、
前記第１のインクに対応する多値データを量子化して第１の量子化データを生成する第１の量子化工程と、
前記第２のインクに対応する多値データを量子化して第２の量子化データを生成する第２の量子化工程と、
前記第１の量子化データに従って前記第１のインクを記録し、前記第２の量子化データに従って前記第２のインクを記録する記録工程と
を有し、
前記記録手段が前記第１のインクを吐出した際に主滴とは別に吐出される副滴が形成するサテライトは、前記記録手段が前記第２のインクを吐出した際に主滴とは別に吐出される副滴が形成するサテライトよりも発生しやすく、
前記第１の量子化データに従って前記記録媒体に記録された第１のドットパターンは前記第２の量子化データに従って前記記録媒体に記録された第２のドットパターンよりも分散性が高いことを特徴とする画像処理方法。
【請求項１２】
請求項１ないし１０のいずれか１項に記載の画像処理装置の各手段としてコンピュータを機能させるためのプログラム。
【請求項１３】
第１のインクと第２のインクを吐出する記録手段を用いて記録媒体に画像を記録するための画像処理装置であって、
前記第１のインクに対応する多値データを量子化して第１の量子化データを生成する第１の量子化手段と、
前記第２のインクに対応する多値データを量子化して第２の量子化データを生成する第２の量子化手段と、
を備え、
前記記録手段が前記第１のインクを吐出した際に主滴とは別に吐出される副滴が形成するサテライトは、前記記録手段が前記第２のインクを吐出した際に主滴とは別に吐出される副滴が形成するサテライトよりも発生しやすく、
前記第１の量子化手段は、前記第１のインクに対応する多値データを複数の閾値が配列された所定の閾値マトリクスに記憶されている閾値と比較することにより、ドットの記録または非記録を示す前記第１の量子化データを生成し、
前記第２の量子化手段は、前記第２のインクに対応する多値データを前記所定の閾値マトリクスに記憶され前記第１の量子化手段が比較する前記閾値にオフセットをかけた閾値と比較することにより、ドットの記録または非記録を示す前記第２の量子化データを生成することを特徴とする画像処理装置。
【請求項１４】
前記閾値マトリクスはブルーノイズ特性を有することを特徴とする請求項１３に記載の画像処理装置。
【請求項１５】
前記閾値マトリクスは、前記第１の量子化データに従って前記記録媒体に記録された第１のドットパターンおよび前記第２の量子化データに従って前記記録媒体に記録された第２のドットパターンにおいて、低周波のパワーが高周波のパワーよりも抑えられるように形成されていることを特徴とする請求項１３に記載の画像処理装置。
【請求項１６】
前記第１のインクは前記第２のインクよりも粘度が低いことを特徴とする請求項１３ないし１５のいずれか１項に記載の画像処理装置。
【請求項１７】
前記第１のインクは前記第２のインクよりも明度が低いことを特徴とする請求項１３ないし１５のいずれか１項に記載の画像処理装置。
【請求項１８】
第１のインクと第２のインクを吐出する記録手段を用いて記録媒体に画像を記録するための画像処理方法であって、
前記第１のインクに対応する多値データを量子化して第１の量子化データを生成する第１の量子化工程と、
前記第２のインクに対応する多値データを量子化して第２の量子化データを生成する第２の量子化工程と、
を有し、
前記記録手段が前記第１のインクを吐出した際に主滴とは別に吐出される副滴が形成するサテライトは、前記記録手段が前記第２のインクを吐出した際に主滴とは別に吐出される副滴が形成するサテライトよりも発生しやすく、
前記第１の量子化工程は、前記第１のインクに対応する多値データを複数の閾値が配列された所定の閾値マトリクスに記憶されている閾値と比較することにより、ドットの記録または非記録を示す前記第１の量子化データを生成し、
前記第２の量子化工程は、前記第２のインクに対応する多値データを前記所定の閾値マトリクスに記憶され前記第１の量子化工程が比較する前記閾値にオフセットをかけた閾値と比較することにより、ドットの記録または非記録を示す前記第２の量子化データを生成することを特徴とする画像処理方法。
【手続補正２】
【補正対象書類名】明細書
【補正対象項目名】発明の名称
【補正方法】変更
【補正の内容】
【発明の名称】画像処理装置、画像処理方法およびプログラム
【手続補正３】
【補正対象書類名】明細書
【補正対象項目名】０００１
【補正方法】変更
【補正の内容】
【０００１】
本発明は、量子化処理を行った後の画像データを、インクジェット記録ヘッドを用いて記録媒体に記録するための画像処理装置、画像処理方法およびプログラムに関する。
【手続補正４】
【補正対象書類名】明細書
【補正対象項目名】０００８
【補正方法】変更
【補正の内容】
【０００８】
そのために本発明は、第１のインクと第２のインクを吐出する記録手段を用いて記録媒体に画像を記録するためのデータを処理する画像処理装置であって、前記第１のインクに対応する多値データを量子化して第１の量子化データを生成する第１の量子化手段と、前記第２のインクに対応する多値データを量子化して第２の量子化データを生成する第２の量子化手段と、を備え、前記記録手段が前記第１のインクを吐出した際に主滴とは別に吐出される副滴が形成するサテライトは、前記記録手段が前記第２のインクを吐出した際に主滴とは別に吐出される副滴が形成するサテライトよりも発生しやすく、前記第１の量子化データに従って前記記録媒体に記録された第１のドットパターンは前記第２の量子化データに従って前記記録媒体に記録された第２のドットパターンよりも分散性が高いことを特徴とする。